(57)【要約】  本発明は、一つのセクターに少なくとも１２８個以上の端末識別子（ＭＡＣ ＩＤ）を運用するコード分割多重接続（Code Division Multiple Access：ＣＤＭＡ）システムにおけるデータ送信方法及び装置に関するものである。特定の端末に多重ユーザパケット（Multi User Packet：ＭＵＰ）を転送するために設定されたプリアンブル集合を設定し、上記プリアンブル集合に対する情報を上記端末に知らせ、上記１２８以上の端末識別子を持つ端末へのデータ転送時、上記端末識別子に該当するプリアンブルを利用してデータを転送することを含む。上記特定の端末が上記１２８以上の端末識別子（ＭＡＣ ＩＤ）を持つ場合、上記プリアンブル集合は、上記ＭＵＰの受信の可否を決定する少なくとも一つのプリアンブルを含む。上記基地局は、セッション設定時、上記端末に上記プリアンブル集合に対する情報を提供する。
2009512322.tif 000002
【特許請求の範囲】
【請求項１】
コード分割多重接続（Code Division Multiple Access：ＣＤＭＡ）システムにおける基地局が端末へデータを転送する方法であって、
所定の端末に多重ユーザパケット（Multi User Packet：ＭＵＰ）に対するプリアンブル情報を設定する過程と、
前記端末に前記プリアンブル情報を提供する過程と、
前記端末に対応するプリアンブルを利用して前記端末へ前記ＭＵＰを転送する過程と、
を含むことを特徴とするデータ転送方法。
【請求項２】
前記プリアンブル情報は、少なくとも一つのプリアンブルから構成されることを特徴とする請求項１に記載のデータ転送方法。
【請求項３】
前記基地局は、セッション設定時、前記端末に前記プリアンブル情報を提供することを特徴とする請求項１に記載のデータ転送方法。
【請求項４】
前記基地局は、前記端末に前記端末識別子（ＭＡＣ ＩＤ）と共に前記プリアンブル情報を提供することにより端末識別子（ＭＡＣ ＩＤ）を割り当てることを特徴とする請求項１に記載のデータ転送方法。
【請求項５】
前記ＭＵＰを転送する過程は、
所定の端末から受信した転送率制御情報（Data Rate Control：ＤＲＣ）を確認する過程と、
前記端末に割り当てられたプリアンブルを利用して前記ＭＵＰを転送する過程と、を含むことを特徴とする請求項１に記載のデータ転送方法。
【請求項６】
前記ＭＵＰを転送する過程は、ＭＵＰのサイズと前記プリアンブル情報とに従って決定されたプリアンブルを利用して前記ＭＵＰを前記端末へ転送することを特徴とする請求項１に記載のデータ転送方法。
【請求項７】
コード分割多重接続（Code Division Multiple Access：ＣＤＭＡ）システムの基地局であって、
所定の端末に多重ユーザパケット（Multi User Packet：ＭＵＰ）を転送するためのプリアンブル情報を設定し、前記端末から受信した転送率制御情報（Data Rate Control：ＤＲＣ）を確認する制御部と、
前記ＭＵＰのためのプリアンブル情報及び前記ＭＵＰを、前記転送率制御情報に基づいて前記端末に割り当てられたプリアンブルを利用して前記端末へ転送する無線周波数部（Radio Frequency：ＲＦ）と、
を含むことを特徴とする基地局。
【請求項８】
前記プリアンブル情報は、少なくとも一つのプリアンブルを含むことを特徴とする請求項７に記載の基地局。
【請求項９】
前記制御部は、ＭＵＰのサイズと前記プリアンブル情報とに従って決定されたプリアンブルを利用して前記ＭＵＰを前記端末へ転送することを特徴とする請求項７に記載のデータ転送方法。
【請求項１０】
コード分割多重接続（Code Division Multiple Access：ＣＤＭＡ）システムにおける端末がデータを受信する方法であって、
基地局から多重ユーザパケット（Multi User Packet：ＭＵＰ）のためのプリアンブル情報を受信する過程と、
前記基地局からのデータ受信時、自身に割り当てられたプリアンブルがあるか否かを検出する過程と、
自身に割り当てられたプリアンブルが検出される場合、ＭＵＰを復号する過程と、
を含むことを特徴とするデータ受信方法。
【請求項１１】
前記プリアンブル情報とＭＵＰのサイズとに従ってプリアンブルを決定する過程をさらに含むことを特徴とする請求項１０に記載のデータ受信方法。
【請求項１２】
前記プリアンブル情報は、少なくとも一つのプリアンブルを含むことを特徴とする請求項１０に記載のデータ受信方法。
【請求項１３】
前記端末は、前記基地局とのセッション設定時、前記プリアンブル情報を受信することを特徴とする請求項１０に記載のデータ受信方法。
【請求項１４】
前記端末は、端末識別子（ＭＡＣ ＩＤ）を前記基地局から割り当てられる場合、前記プリアンブル情報を受信することを特徴とする請求項１０に記載のデータ受信方法。
【請求項１５】
前記ＭＵＰを復号する過程は、
１２８以上の端末識別子を割り当てられた場合、自身に割り当てられたプリアンブルを確認する過程と、
前記端末に割り当てられたプリアンブルに該当するプリアンブルがある時、前記ＭＵＰを復号する過程と、
を含むことを特徴とする請求項１０に記載のデータ受信方法。
【請求項１６】
共通に割り当てられたＭＵＰのプリアンブルを確認する過程をさらに含むことを特徴とする請求項１５に記載のデータ受信方法。
【請求項１７】
コード分割多重接続（Code Division Multiple Access：ＣＤＭＡ）システムの端末であって、
基地局に転送率制御情報（Data Rate Control：ＤＲＣ）を転送し、前記基地局から自身に割り当てられた多重ユーザパケット（Multi User Packet：ＭＵＰ）を受信するためのプリアンブル情報を受信する無線送受信部（Radio Frequency：ＲＦ）と、
前記基地局へ転送するＤＲＣを制御する制御部と、
前記基地局からのデータ受信時、自身に割り当てられたプリアンブルである場合、ＭＵＰを復号する復号部と、
を含むことを特徴とする端末。
【請求項１８】
前記制御部は、前記プリアンブル情報とＭＵＰのサイズとに従ってプリアンブルを決定する過程をさらに含むことを特徴とする請求項１４に記載の端末。
【請求項１９】
前記プリアンブル情報は、少なくとも一つのプリアンブルから構成されることを特徴とする請求項１４に記載の端末。
【請求項２０】
前記制御部は、前記基地局とのセッション設定時、前記プリアンブル情報を受信することを特徴とする請求項１７に記載の端末。
【請求項２１】
前記制御部は、前記基地局から端末識別子（ＭＡＣ ＩＤ）を割り当てられる場合、前記プリアンブル情報を受信することを特徴とする請求項１７に記載の端末。
【請求項２２】
前記制御部は、１２８以上の端末識別子を割り当てられた場合、自身に割り当てられたプリアンブルを確認し、前記端末に割り当てられたプリアンブルに該当するプリアンブルがある時、前記ＭＵＰを復号することを特徴とする請求項１７に記載の端末。
【請求項２３】
前記制御部は、共通に割り当てられたＭＵＰのプリアンブルをさらに確認することを特徴とする請求項１８に記載の端末。
【請求項２４】
一つのセクター内に少なくとも１２８個以上の端末識別子（ＭＡＣ ＩＤ）を運用するコード分割多重接続（Code Division Multiple Access：ＣＤＭＡ）システムにおける基地局が端末へデータを転送する方法であって、
所定の端末から転送率制御情報（Data Rate Control：ＤＲＣ）を受信する過程と、
多重ユーザパケット（Multi User Packet：ＭＵＰ）のために設定されたプリアンブル情報に基づいて、同一なプリアンブルを割り当てられた端末間に、ＭＵＰを含むデータを転送し、前記受信したＤＲＣ及びＭＵＰを転送するために端末をスケジューリングする過程と、
前記ＭＵＰを設定して、前記プリアンブルを利用して前記設定されたＭＵＰを転送する過程と、
を含むことを特徴とするデータ転送方法。
【発明の詳細な説明】
【技術分野】
【０００１】
本発明は、移動通信システムにおけるデータ送受信方法及びそれに従うシステムに関し、特に多重搬送波（Multiple carrier：ＭＣ）を利用するコード分割多重接続（Code Division Multiple Access：ＣＤＭＡ）システムにおける多数のユーザにデータを送受信する方法及び装置に関する。
【背景技術】
【０００２】
最近、ＣＤＭＡ方式の移動通信システムにおいて、高速データの転送のための多くの研究がなされている。このような高速データ転送のためのチャネル構造を持つ代表的な移動通信システムには、１ｘＥＶＤＯ（1x Evolution Data Only）システムがある。上記１ｘＥＶＤＯシステムは、ＩＳ−２０００システムのデータ通信の補完のために、３ＧＰＰ２（3rd Generation Partnership Project 2）で規定した移動通信システムである。
【０００３】
このような１ｘＥＶＤＯシステムの順方向チャネルの構成を見ると、パイロットチャネル（Pilot Channel）、順方向媒体アクセス制御（Medium Access Control；以下、“ＭＡＣ”と称する）チャネル、順方向トラフィック（Forward Traffic）チャネル、及び順方向制御（Forward Control）チャネルなどを含み、上記順方向チャネルを時分割多重（Time Division Multiplexing：ＴＤＭ）方式により各端末（Access Terminal：ＡＴ）へ転送する。この際、時分割多重方式により転送される信号の束をバースト（Burst）という。
【０００４】
上記順方向トラフィックチャネルはユーザデータパケットを転送し、順方向制御チャネルは制御メッセージ及びユーザデータパケットを転送する。そして、順方向ＭＡＣチャネルは、逆方向転送率制御及び電力制御情報の伝達、あるいは順方向データ転送チャネルの指定などのために用いられる。
【０００５】
１ｘＥＶＤＯシステムの逆方向チャネルは、順方向チャネルと異なり、各端末別に識別符号を別にするチャネルを有し、各端末別の逆方向チャネルは、パイロットチャネル、逆方向トラフィックチャネル、アクセスチャネル（Access Channel）、データ転送率制御（Data Rate Control；以下、“ＤＲＣ”と称する）チャネル、及び逆方向転送率指示（Reverse Rate Indicator：ＲＲＩ）チャネル等から構成される。上記逆方向トラフィックチャネルは、ユーザデータパケットを転送し、データ転送率制御チャネルは、端末によりサポートされる順方向転送率を指示するために使われ、逆方向転送率指示チャネルは、逆方向に転送されるデータチャネルの転送率を指示するために使われる。上記アクセスチャネルは、トラフィックチャネルが接続される前、端末が基地局（Access Node：ＡＮ）へメッセージやトラフィックを転送する時に用いられる。
【０００６】
上記１ｘＥＶＤＯシステムの構造を図１を参照しながら説明する。
図１は、従来の１ｘＥＶＤＯシステムを概略的に示す図である。
図１を参照すると、１ｘＥＶＤＯシステムは、インターネット網５０と接続されて高速パケットデータを基地局２０へ転送するパケットデータサービスノード（Packet Data Service Node；以下、“ＰＤＳＮ”と称する）４０と、基地局２０を制御する基地局制御器（Access Node Control：ＡＮＣ）３０とから構成されている。基地局２０は、多数の端末１０と無線で通信し、最も高い転送率を持つ端末機１０ａに上記高速のパケットデータを転送する。
【０００７】
順方向チャネルの転送率制御の場合、端末１０は基地局２０により転送されるパイロットの受信強度を測定し、上記測定されたパイロットの受信強度に基づいて、端末１０が希望する順方向データ転送率を決定する。端末１０は、上記決定された順方向データ転送率に該当するＤＲＣ情報をデータ転送率制御（ＤＲＣ）チャネルを介して基地局２０へ送信する。すると、基地局２０は、上記ＤＲＣ情報を受信して、状態のよい端末１０ａのみに端末が報告した転送率でパケットデータを転送することができる。順方向チャネル状態と上記ＤＲＣ情報の対応関係は具現によって変わることができるが、一般的に端末製造過程で固定された値を使用するようになっている。
下記の＜表１＞は、端末が報告するＤＲＣの値とそれに該当する転送率及び転送形式との関係を表すテーブルである。
【０００８】
【表１】
2009512322.tif 000003
【０００９】
上記＜表１＞を参照すると、転送形式は、ビット、スロット、チッププリアンブルのような書式で表現され、例えば、（１０２４、１６、１０２４）の意味は、１０２４ビットの情報を１６スロットの間転送し、その転送の最初に１０２４チップのプリアンブル（preamble）を転送するという意味である。基地局は、各端末が報告するＤＲＣ値に該当する転送形式で各端末にデータを転送し、端末は自身が報告したＤＲＣ値に該当する形式のみで順方向データチャネルの受信を試みる。このような取り決めは、順方向に転送されるデータチャネルに対して、その転送率を指示してくれる他のチャネルがないためである。即ち、基地局が、端末が報告した転送形式でない転送形式を利用してデータを転送する場合、その転送形式を指示する方法がないので、端末はそのデータを受信することができない。したがって、基地局は常に端末が報告したＤＲＣに該当する転送形式のみでデータを転送する。例えば、ＤＲＣ ０ｘ０１をデータ転送率制御（ＤＲＣ）チャネルを介して転送した端末に対して、基地局はそのＤＲＣ値に該当する転送形式（１０２４、１６、１０２４）を利用してデータを転送し、端末は上記の形式のみでデータの受信を試みる。
【００１０】
基地局は端末にデータを転送する際、転送形式に明示された長さを持つプリアンブルを利用して、どんなユーザが順方向データを受信しなければならないかを指示する。このようなプリアンブルは、予め決まったビット列（bit sequence）を基地局により各端末に割り当てられた媒体アクセス制御識別子（Medium Access Control Identifier；以下、“ＭＡＣ ＩＤ”と称する）に該当するウォルシュコード（Walsh code）を利用して拡散（Spreading）することにより生成される。端末は、データの受信の可否を決定するために自身が報告した転送形式に該当するプリアンブルの長さだけのチップを受信して、自身のＭＡＣ ＩＤに該当するウォルシュコードを利用して上記受信したチップを逆拡散（De-spreading）し、その信号の強度とその値に対して事前に定義されたビット列と同一であるか否かを比較する。
【００１１】
上記受信したＤＲＣ情報に従って、基地局が一つの端末に転送するパケットデータを単一ユーザパケット（Single User Packet：ＳＵＰ）という。基地局は、一般的なデータサービスで対しては、上記ＳＵＰを利用してデータを転送する。このような一般的なデータサービスに反して、ＶｏＩＰのようなデータサービスは、約９．６ｋｂｐｓの比較的低い転送帯域幅を必要とする。９．６ｋｂｐｓの帯域幅の場合、２０ｍｓ毎にわずか１９２ビットのデータのみ転送される。このような少ない量のデータを最小１０２４ビットのサイズを持つＳＵＰを利用して転送することは、不要な帯域幅の浪費をもたらす。このような無線接続区間のリソース浪費を防ぐために、一つの物理的パケットを利用して多数のユーザのデータを転送する方式が導入されたが、このようなパケット形式を多重ユーザパケット（Multi User Packet：ＭＵＰ）という。
下記の＜表２＞は、上記ＭＵＰに対してＤＲＣの値とそれに該当する転送率及び転送形式との関係を表すテーブルである。
【００１２】
【表２】
2009512322.tif 000004
【００１３】
１ｘＥＶＤＯシステムでは、＜表２＞のように、端末が報告した各ＤＲＣ別にそのＤＲＣに適合する多重ユーザパケットを定義している。例えば、ＤＲＣ ０ｘ５を転送した端末は、転送フォーマット（１２８、４、２５６）、（２５６、４、２５６）、（５１２、４、２５６）、（１０２４、４、２５６）、（２０４８、４、１２８）に該当する多重ユーザパケットを受信しなければならない。このような多重ユーザパケットは、多数のユーザのパケットデータを含み、各パケットデータを受信する端末のアドレスと共に転送される。上記多重ユーザパケットを受信した端末は、該当端末のＭＡＣ ＩＤが上記受信したパケットの内部に含まれているか否かを判断して、自身のＭＡＣ ＩＤが含まれている場合のみに、それに該当するユーザパケットを処理する。
【００１４】
図２は、従来の１ｘＥＶＤＯシステムで使われる多重ユーザパケットの構造を示す図である。図２を参照すると、多重ユーザパケット２００は、受信端末のアドレスであるＭＡＣ ＩＤとその端末へ転送されるデータの長さなどを表すヘッダ２１０と、ヘッダ２１０と残り部分との境界を定義するヘッダ境界記号（Delimiter）２２０と、データ、パディング２４０、及びトレーラー（Trailer）２５０を含むペイロード２３０と、から構成される。
【００１５】
上記多重ユーザパケットのヘッダ２１０は、その多重ユーザパケットを受信する端末の各々に対して多重ユーザパケットの受信に必要とされる情報を伝達する。このような情報は、転送データの形式情報を含むフォーマット（Format）フィールド２１１、受信端末の識別子であるＭＡＣ ＩＤ２１３、及び転送データの長さを表す長さフィールド（Length field）２１５から構成される。ここで、上記転送データは、多重ユーザパケット２００内の転送データを意味するものであって、以下ではユーザパケットと称する。
【００１６】
Ｎ個の受信端末に対するＮ個の受信情報を含むヘッダ２１０の後には、ヘッダ部分とペイロード部分とを明確に区別してくれる境界記号２２０‘００００００００’が含まれる。境界記号２２０の後には、前述した送受信情報で指定された順序、データ形式及び長さに合うように、Ｎ個の端末に対するユーザパケットを含むペイロード２３０が位置する。ペイロード２３０の後には必要によってパディング（Padding）２４０が付くことができ、その後には‘００’に固定されたトレーラー（Trailer）２５０が終わりに位置して一つの多重ユーザパケット２００を構成する。
【００１７】
多重ユーザパケット２００は、多重ユーザパケット転送用に割り当てられたプリアンブルを利用して転送される。上記多重ユーザパケット用プリアンブルは、多重ユーザパケットの転送率に従って５個が定義される。例えば、転送率が低い（１２８、４、２５６）、（２５６、４、２５６）、（５１２、４、２５６）、（１０２４、４、２５６）の多重ユーザパケットに対して一つのプリアンブル（６６番のプリアンブル）を、（２０４８、４、１２８）の多重ユーザパケットに対して一つのプリアンブル（６７番のプリアンブル）を、（３０７２、２、６４）、（４０９６、２、６４）、（５１２０、２、６４）に対してそれぞれ異なるプリアンブル（６８、６９、７０番のプリアンブル）を使用することができる。ＤＲＣを報告した端末は、転送したＤＲＣに適合する多重ユーザパケットに該当するプリアンブルが到着するか否かをモニタリングする。自身のＤＲＣに適合する多重ユーザパケットに該当するプリアンブルを受信した端末は、上記多重ユーザパケットをデコーディングして、そのヘッダ部分に自身のアドレスが含まれているか否かを判断し、自身のアドレスが上記ヘッダ部分に含まれていると、ヘッダに明示された長さに該当するユーザパケットをペイロード部分から読取って処理する。
【００１８】
移動通信システムにおいて、より高いデータ転送率の要求が増加するにつれて、前述した１ｘＥＶＤＯシステムでより高い転送率を得るために多重搬送波（Multi Carrier）ＥＶＤＯシステムが提案された。単一搬送波を利用してデータを交換する従来のＥＶＤＯシステムに比べて、多重搬送波ＥＶＤＯシステムは、一つの端末に複数個の搬送波を割り当てることで、より高い転送率を具現したシステムである。この際、それぞれの搬送波は従来の１ｘＥＶＤＯシステムで提供する最大転送率を提供できるので、理想的な環境で多重搬送波を利用して、通信中の端末は搬送波の数の関数（function）の最大データ転送率を利用することができる。
【００１９】
このような多重搬送波システムでは、一つの端末が一つ以上の搬送波を受信するので、平均的に搬送波別にデータを受信する端末の数が増える。これによって、端末の増える数だけの端末識別子（ＭＡＣ ＩＤ）を各搬送波別に提供できる方法が必要である。また、容易な切替えのために、多重搬送波システムは、既に存在する全国網から既存のＥＶＤＯシステムの物理的な転送構造を甚だしく変更しないようにするべきである。
【発明の開示】
【発明が解決しようとする課題】
【００２０】
本発明の目的は、多重搬送波（Multiple carrier：ＭＣ）を利用するコード分割多重接続（Code Division Multiple Access：ＣＤＭＡ）システムにおいて、効率よく多数の端末にデータを送受信する方法及び装置を提供することにある。
本発明の他の目的は、ＭＣを利用するＣＤＭＡシステムにおいて、オーバーヘッドを減らすことができるデータ送受信方法及び装置を提供することにある。
【課題を解決するための手段】
【００２１】
前述した目的を達成するための本発明は、一つのセクターに少なくとも１２８個以上の端末識別子（ＭＡＣ ＩＤ）を運用するコード分割多重接続（Code Division Multiple Access：ＣＤＭＡ）システムにおける基地局が端末へデータを転送する方法であって、所定の端末に多重ユーザパケット（Multi User Packet：ＭＵＰ）に対するプリアンブル情報を設定する過程と、上記端末に上記プリアンブル情報を提供する過程と、上記端末に対応するプリアンブルを利用して上記端末へ上記ＭＵＰを転送する過程と、を含むことを特徴とする。
【００２２】
好ましくは、上記プリアンブル情報は、少なくとも一つのプリアンブルから構成されることを特徴とする。
好ましくは、上記基地局は、セッション設定時、上記端末に上記プリアンブル情報を提供することを特徴とする。
好ましくは、上記ＭＵＰを転送する過程は、所定の端末から受信した転送率制御情報（Data Rate Control：ＤＲＣ）を確認する過程と、上記端末に割り当てられたプリアンブルを利用して上記ＭＵＰを転送する過程と、を含むことを特徴とする。
好ましくは、上記ＭＵＰを転送する過程は、ＭＵＰのサイズと上記プリアンブル情報とに従って決定されたプリアンブルを利用して上記ＭＵＰを上記端末へ転送することを特徴とする。
【００２３】
本発明の実施形態は、コード分割多重接続（Code Division Multiple Access：ＣＤＭＡ）システムの基地局であって、所定の端末に多重ユーザパケット（Multi User Packet：ＭＵＰ）を転送するためのプリアンブル情報を設定し、上記端末から受信した転送率制御情報（Data Rate Control：ＤＲＣ）を確認する制御部と、上記ＭＵＰのためのプリアンブル情報及び上記ＭＵＰを、上記転送率制御情報に基づいて上記端末に割り当てられたプリアンブルを利用して上記端末へ転送する無線周波数部（Radio Frequency：ＲＦ）と、を含むことを特徴とする。
【００２４】
好ましくは、上記プリアンブル情報は、少なくとも一つのプリアンブルを含むことを特徴とする。
好ましくは、上記制御部は、ＭＵＰのサイズと上記プリアンブル情報とに従って決定されたプリアンブルを利用して上記ＭＵＰを上記端末へ転送することを特徴とする。
【００２５】
前述した目的を達成するための本発明は、コード分割多重接続（Code Division Multiple Access：ＣＤＭＡ）システムにおける端末がデータを受信する方法であって、基地局から多重ユーザパケット（Multi User Packet：ＭＵＰ）を受信するためのプリアンブル情報を受信する過程と、上記基地局からのデータ受信時、自身に割り当てられたプリアンブルがあるか否かを検出する過程と、自身に割り当てられたプリアンブルがある場合、上記ＭＵＰを復号する過程と、を含むことを特徴とする。
【００２６】
好ましくは、上記過程は、上記プリアンブル情報とＭＵＰのサイズとに従ってプリアンブルを決定する過程をさらに含むことを特徴とする。
好ましくは、上記プリアンブル情報は、少なくとも一つのプリアンブルを含むことを特徴とする。
好ましくは、上記端末は、上記基地局とのセッション設定時、上記プリアンブル情報を受信することを特徴とする。
好ましくは、上記割り当てられたＭＵＰを受信する過程は、１２８以上の端末識別子を割り当てられた場合、自身に割り当てられたプリアンブルを確認する過程と、上記端末に割り当てられたプリアンブルに該当するプリアンブルがある時、上記ＭＵＰを復号する過程と、を含むことを特徴とする。
【００２７】
前述した目的を達成するための本発明は、コード分割多重接続（Code Division Multiple Access：ＣＤＭＡ）システムの端末であって、基地局に転送率制御情報（Data Rate Control：ＤＲＣ）を転送し、上記基地局から自身に割り当てられた多重ユーザパケット（Multi User Packet：ＭＵＰ）を受信するためのプリアンブル情報を受信する無線送受信部（Radio Frequency：ＲＦ）と、上記基地局へ転送するＤＲＣを制御する制御部と、上記基地局からのデータ受信時、自身に割り当てられたプリアンブルである場合、ＭＵＰを復号する復号部と、を含むことを特徴とする。
【００２８】
上記制御部は、上記プリアンブル情報とＭＵＰのサイズとに従ってプリアンブルを決定する過程をさらに含むことを特徴とする。
好ましくは、上記プリアンブル情報は、少なくとも一つのプリアンブルから構成されることを特徴とする。
好ましくは、上記制御部は、上記基地局とのセッション設定時、上記プリアンブル情報を受信することを特徴とする。
好ましい実施形態において、上記制御部は、１２８以上の端末識別子を割り当てられた場合、自身に割り当てられたプリアンブルを確認し、上記端末に割り当てられたプリアンブルに該当するプリアンブルがある時、上記ＭＵＰを復号することを特徴とする。
好ましい実施形態において、上記制御部は、共通に割り当てられたＭＵＰのプリアンブルをさらに確認することを特徴とする。
【００２９】
前述した目的を達成するための本発明は、一つのセクター内に少なくとも１２８個以上の端末識別子（ＭＡＣ ＩＤ）を運用するコード分割多重接続（Code Division Multiple Access：ＣＤＭＡ）システムにおける基地局が端末へデータを転送する方法であって、所定の端末から転送率制御情報（Data Rate Control：ＤＲＣ）を受信する過程と、多重ユーザパケット（Multi User Packet：ＭＵＰ）のために設定されたプリアンブル情報に基づいて、同一なプリアンブルを割り当てられた端末間に、ＭＵＰを含むデータを転送し、上記受信したＤＲＣ及びＭＵＰを転送するために端末をスケジューリングする過程と、上記ＭＵＰを設定して、上記プリアンブルを利用して上記設定されたＭＵＰを転送する過程と、を含むことを特徴とする。
【発明の効果】
【００３０】
本発明によると、多重波転送システムが端末識別子を追加的に使用する場合、従来の端末に影響を与えずに、より多くのユーザにデータを転送できる効果がある。
【発明を実施するための最良の形態】
【００３１】
本発明の他の目的、利益、及び言及されない構成は、以下に説明される添付された図面と本発明の実施形態でなされた詳細な説明からこの分野の熟練者に明確になるはずである。
図面を通して、類似図面符号は、類似な構成要素、特徴、及び構造を参照することが分かる。
【００３２】
以下、本発明の好ましい実施形態の詳細な説明を添付した図面を参照しながら説明する。図面中、同一な構成は、できる限りどの所でも同一な符号を表していることに留意しなければならない。下記の説明において、具体的な特定事項が表されているが、これは本発明のより全般的な理解を助けるために提供されたものである。そして、本発明を説明するに当たり、関連のある公知の機能あるいは構成についての具体的な説明が本発明の要旨を余計に曖昧にする恐れのあると認められる場合、その詳細な説明を省略する。
【００３３】
本発明は、多重搬送波システムにおいて、既に全国網を構成している既存ＥＶＤＯシステムの物理的な転送構造を甚だしく変更せず、既存の端末に影響を与えず、多重ユーザパケット（Multi User Packet：ＭＵＰ）を利用して搬送波別に増えたユーザパケットを効率よく転送する方法及び装置を提案する。
【００３４】
このために、まず本発明では、複数個の多重ユーザパケット受信グループとそれに該当するプリアンブル集合を定義し、各ユーザに特定の多重ユーザパケット受信グループを割り当てる方法について説明する。その後、基地局で割り当てられたプリアンブル集合と多重ユーザパケット構造を利用して端末にデータを転送する方法を説明する。
【００３５】
まず、本発明で使われる多重ユーザパケットについて説明する。従来のシステムの構造を維持しながら、より多くの数の多重搬送波端末をサポートするために、本発明では、従来に使われていた１２８個の接続端末識別子（７ビットのＭＡＣ ＩＤ）に加えて、新たな２５６個の接続端末識別子（８ビットのＭＡＣ ＩＤ）を定義する。したがって、本発明で提案する方法では、１つのセクターでサポートできる端末の最大数は３８４個となる。
【００３６】
本発明では、従来のシステムの構造を維持することと仮定するので、従来の定義された１２８個の接続端末識別子以外に、新たに定義された２５６個の接続端末識別子には新たな物理階層プリアンブルを追加的に割り当てることができない。したがって、０〜１２７番目のプリアンブルに受信端末が区分される既存の単一ユーザパケット（Single User Packet：ＳＵＰ）を使用することができない。本発明では、上記新たに定義された２５６個の接続端末識別子に該当する端末へデータを転送するためのＭＵＰ構造を説明する。従来の多重ユーザパケットは、複数個の端末により復調及び復号されるので、その実際の受信者を明示するために、ヘッダ部分に実際の受信者の識別子を書き込んで転送する。本発明では、新たに定義された２５６個の識別子を明示するための新たな多重ユーザパケットヘッダを説明する。
【００３７】
図３は、本発明に従う多重ユーザパケット３００のフォーマット構造を示す図であって、既存の端末と新たに追加された端末識別子とを含む。図３に示すように、新たに定義された２５６個の接続端末識別子（ＭＡＣ ＩＤ １２８〜３８４）のためのヘッダ３１０は、多重ユーザパケット３００の終わり部分に存在し、端末を指示する情報３１１（端末の識別子から１２８を引いた値）、多重ユーザパケットに含まれた該当端末のパケットの長さ３１３、及びヘッダ３１０を上記追加された端末のデータ３０１部分と区別する区分子（Delimiter）３０３などで構成される。
【００３８】
仮に、上記新たに定義された２５６個の接続端末識別子（ＭＡＣ ＩＤ １２８〜３８４）に対してデータを転送する時、従来に予め定義された多重ユーザパケットとそれに割り当てられたプリアンブル、即ち、６６番〜７０番のプリアンブルを使用する場合、１２８以上の端末識別子を持つ一つの端末にデータを転送する度に、その多重ユーザパケットフォーマットに適合するＤＲＣを転送した全ての端末がそのパケットを復調及び復号化する動作を遂行することになる。例えば、識別子２００番を持つ端末が多重ユーザパケット（１０２４、４、２５６）に適合するＤＲＣを報告し、基地局が多重ユーザパケット（１０２４、４、２５６）を該当多重ユーザパケットに該当するプリアンブル（６６番）を利用して、その端末に転送した場合、多重ユーザパケット（１０２４、４、２５６）に適合するＤＲＣを報告した全ての端末は、上記受信したパケットが自身に転送されるものであるかもしれないと判断し、該当パケットを受信、復調、及び復号化する過程を遂行する。即ち、１２８番以上の識別子を持つ端末にパケットを転送する度にセクター内の多くの端末が同時に受信を試みることは、不要な端末の電源浪費をもたらす。したがって、本発明では、従来の端末に影響を与えない、かつ新たな多重搬送波端末にデータを転送する方案を提案する。
【００３９】
本発明では、上記の問題を解決するために、基地局が端末にその端末が多重ユーザパケットを受信するために使用するプリアンブルの集合を指定してくれることになる。ここで、上記プリアンブルの集合を指定する方法は、基地局が端末に端末識別子を割り当てる時、端末識別子に加えてプリアンブルの集合を伝達するか、新たに定義されたメッセージを利用してプリアンブルの集合を設定することができる。また、基地局と端末が通信に必要な情報を折衝するセッション折衝過程で、転送前のプリアンブルの集合をセッション設定属性に指定する多様な方法を利用して伝達することができる。
【００４０】
【表３】
2009512322.tif 000005
【００４１】
上記＜表３＞は、本発明で提案する多重ユーザパケットの受信のためのプリアンブル集合を表すためのメッセージを示す例である。本発明で定義されたプリアンブル集合は、基地局が端末にトラフィックチャネルを割り当てるか、端末の活性集合（Active Set）を更新する時に転送されるトラフィックチャネル割り当てメッセージ（TrafficChannelAssignment message）に含まれるか、またはプリアンブル集合のために新たに定義されたメッセージに含まれることができる。
【００４２】
上記プリアンブル集合を表すメッセージのMessageIDフィールドは、トラフィックチャネル割り当てメッセージ、あるいは新たに定義されたメッセージを他のメッセージと区別するメッセージ識別子の値を持つフィールドである。これ以外に、上記プリアンブル集合を表すメッセージは、端末の活性集合に属するセクターに対する各セクター別端末に一つの端末識別子を順方向搬送波毎に伝達することができる。上記端末識別子は、TrafficMACIndexフィールドを利用して伝達される。
【００４３】
本発明で提案する方案では、端末の識別子に加えて、多重ユーザパケットの受信のために使用する新たなプリアンブル識別子（プリアンブル集合）を伝達することができる。MUPPreamblesIncludedフィールドは、本発明で提案された新たなプリアンブル識別子が含まれたか否かを表すフィールドである。上記MUPPreamblesIncludedフィールドが‘１’に設定された場合、次のMUPPreamble1、MUPPreamble2、MUPPreamble3、MUPPreamble4、及びMUPPreamble5フィールドがメッセージ内に含まれる。MUPPreamble1フィールドは、多重ユーザパケット（１２８、４、２５６）、（２５６、４、２５６）、（５１２、４、２５６）、（１０２４、４、２５６）の転送のために使用するプリアンブルを指示する。MUPPreamble2フィールドは、多重ユーザパケット（２０４８、４、１２８）の転送のために使われるプリアンブルを指示し、MUPPreamble3フィールドは、多重ユーザパケット（３０７２、２、６４）の転送のために使われるプリアンブルを指示し、MUPPreamble4フィールドは、多重ユーザパケット（４０９６、２、６４）の転送のために使われるプリアンブルを指示し、MUPPreamble5フィールドは、多重ユーザパケット（５１２０、２、６４）の転送のために使われるプリアンブルを指示する。
【００４４】
前述した本発明では、基地局が５個のMUPPreambleフィールドを含むメッセージを転送する。しかしながら、もし上記基地局がMUPPreamble1フィールドを他の実施形態に従う端末へ転送すると、上記端末は上記受信したMUPPreamble1フィールドを利用することで、所定の規則に従いMUPPreamble2乃至MUPPreamble5を使用することができる。
【００４５】
【表４】
2009512322.tif 000006
【００４６】
上記＜表４＞は、本発明で提案する多重ユーザパケットの受信のためのプリアンブル集合を伝達する方法の一例であって、端末と基地局によりセッション折衝（Session Negotiation）過程で折衝される設定属性（Configuration Attribute）を利用する方法の例である。
【００４７】
本発明では、MUPPreamble1、MUPPreamble2、MUPPreamble3、MUPPreamble4、及びMUPPreambl5の追加的な設定属性を定義している。上記MUPPreamble1の設定属性は、多重ユーザパケット（１２８、４、２５６）、（２５６、４、２５６）、（５１２、４、２５６）、（１０２４、４、２５６）の転送のために使われるプリアンブルを指示する。上記MUPPreamble2の設定属性は、多重ユーザパケット（２０４８、４、１２８）の転送のために使われるプリアンブルを指示する。そして、上記MUPPreamble3の設定属性は、多重ユーザパケット（３０７２、２、６４）の転送のために使われるプリアンブルを指示し、上記MUPPreamble4の設定属性は、多重ユーザパケット（４０９６、２、６４）の転送のために使用するプリアンブルを指示し、上記MUPPreamble5の設定属性は、多重ユーザパケット（５１２０、２、６４）の転送のために使われるプリアンブルを指示する。各設定属性の値が‘０ｘ００’である場合、本発明で提案する多重ユーザパケット受信のために設定されたプリアンブル集合を使用しない場合を意味する。端末と基地局は、上記‘０ｘ０５’〜‘０ｘ３Ｆ’、‘０ｘ４８’〜‘０ｘ７Ｆ’のうち、希望するプリアンブル識別子を設定属性の値として決定することができる。
【００４８】
前述した実施形態では、端末と基地局が５個の設定属性を定義する。しかしながら、もし上記基地局と上記端末が他の実施形態に従うMUPPreamble1を定義すると、上記基地局は上記受信したMUPPreamble1を利用することで、所定の規則に従いMUPPreamble2乃至MUPPreamble5を使用することができる。
【００４９】
特定の端末が上記プリアンブル集合を受信すると、従来の多重ユーザパケット（ＭＵＰ）の転送のために使用していたプリアンブル６６〜７０番を利用して転送されたパケットを無視する。代わりに、新たに受信したプリアンブル集合に属するプリアンブルが検出されると、上記端末は順方向パケットの復調及び復号を試みる。更に他の方案に、上記プリアンブル集合を受信した端末は、従来の多重ユーザパケットの転送のために使用していたプリアンブル６６〜７０番を利用して転送されたパケットと新たに割り当てられたプリアンブル集合に属するプリアンブルを利用して転送された全てのパケット受信を試みることができる。
【００５０】
上記プリアンブル集合を指示した基地局は、該当端末に対するデータを多重ユーザパケットへ転送する時、従来の多重ユーザパケットの転送のために使用していたプリアンブル６６〜７０番を利用して転送する代わり、指示された新たなプリアンブル集合を利用して多重ユーザパケットを転送することができる。更に他の方案に、上記プリアンブル集合を指示した基地局は、該当端末に対するデータを多重ユーザパケットへ転送する時、従来の多重ユーザパケットの転送のために使用していたプリアンブル６６〜７０番と共に、指示された新たなプリアンブル集合の両方のうちの片方を利用して多重ユーザパケットを転送することができる。
【００５１】
基地局は、基地局内のロード状況や１２８以上の識別子を持つ端末の数などを考慮して上記プリアンブル集合を一つ以上指定することができる。基地局は、上記プリアンブル集合を１２８未満の識別子を持つ端末や１２８以上の識別子を持つ端末に割り当てることができる。
【００５２】
上記プリアンブル集合を割り当てられた端末は、自身が報告した順方向転送率情報（ＤＲＣ）に適合する多重ユーザパケット形式及びそれに該当するプリアンブルが到着するか否かをモニタリングする。上記＜表２＞で説明したように、特定の転送率情報（ＤＲＣ）に対しては複数個の多重ユーザパケット形式が対応することができ、端末はその各々に該当するプリアンブルを全て検出するように動作しなければならない。
【００５３】
他の方法に、端末のプリアンブル検出負担を減らすために（即ち、端末が検出するプリアンブルの数を減らすために）、端末は転送した転送率情報に適合する多重ユーザパケット形式の中の一部、あるいは最も転送率が高い多重ユーザパケット形式及びそれに該当するプリアンブルのみをモニタリングすることもできる。例えば、ＤＲＣ５を報告した端末はそれに対応する多重ユーザパケット形式のうち、（２０４８、４、１２８）に該当するプリアンブルのみ受信するように動作することができる。基地局と端末はこのように２つの動作中の一つをメッセージまたは設定属性を用いて決定することができる。
【００５４】
【表５】
2009512322.tif 000007
【００５５】
上記＜表５＞は、本発明で提案する順方向転送率情報と検出されたプリアンブルとの間の関係を表すメッセージ構造の一例である。上記＜表５＞において、追加されたUseBiggestMUPフィールドは、端末が該当転送率情報を報告した時、転送率情報に適合する最も大きい多重ユーザパケット形式及びそれに該当するプリアンブルのみを検出するように指示するフィールドである。したがって、このフィールドが‘１’の値を持つ場合、端末は自身が報告した順方向転送率情報に適合する最も大きい多重ユーザパケット形式及びそれに該当するプリアンブルのみを検出しようと試み、このフィールドが‘０’の値を持つ場合、上記端末は順方向転送率情報に適合する全ての多重ユーザパケット形式及びそれに該当するプリアンブルを検出するように試みる。
【００５６】
【表６】
2009512322.tif 000008
【００５７】
上記＜表６＞は、本発明で提案される順方向転送率情報と検出するプリアンブルとの間の関係を表す設定属性の一例を示す表である。上記＜表６＞において、追加されたUseBiggestMUP設定属性は、端末が該当転送率情報を報告した時、転送率情報に適合する最も大きい多重ユーザパケット形式及びそれに該当するプリアンブルのみを検出するように指示する設定属性である。したがって、この設定属性が‘０ｘ０１’の値を持つ場合、端末は自身が報告した順方向転送率情報に適合する最も大きい多重ユーザパケット形式及びそれに該当するプリアンブルのみを検出しようと試み、設定属性が‘０ｘ００’の値を持つ場合、端末は順方向転送率情報に適合する全ての多重ユーザパケット形式及びそれに該当するプリアンブルを検出するように試みる。
【００５８】
上記＜表５＞及び＜表６＞の例とは異なり、端末と基地局は端末により報告された順方向転送率情報に適合する多重ユーザパケット形式のうち、複数個の形式及びそれに該当する複数個のプリアンブルを検出するようにメッセージを設定することもできる。
【００５９】
本発明において、基地局が端末にプリアンブルグループを割り当てる一例は、次の通りである。
まず、セクター内で使用中の端末識別子の数が１２８個以下の場合、端末は新たな多重搬送波ユーザに対して１２８未満の使用しない端末識別子を割り当てて、その識別子に対応する単一ユーザパケットと既に定義されたプリアンブル（６６〜７０番）を使用する多重ユーザパケットとを利用してデータ通信を遂行する。
【００６０】
端末の数の増加により１２８個以上の端末識別子が必要とされる場合、１２８未満の識別子を割り当てられた一部の従来の多重搬送波ユーザ（例えば、識別子４０〜５０番を割り当てられた多重搬送波ユーザ）に本発明で提案された新たなプリアンブルグループ（例えば、４０、４１、４２、４３、４４）と１２８以上の新たな識別子（例えば、１４０〜１５０）を割り当てる。上記の例の場合、従来に割り当てた識別子４５〜５０番はまた多重搬送波システムをサポートしない既存の端末に使われることができる。
【００６１】
そして、識別子を要請する新たな多重搬送波端末が表れた場合、１２８以上の識別子と上記で割り当てられたプリアンブルグループ（１４０〜１５０）を端末に割り当てる。
端末の数が続けて増える場合、基地局は１２８未満の識別子を割り当てられた他の多重搬送波ユーザ（例えば、８０〜９０番を割り当てられた多重搬送波ユーザ）に新たなプリアンブルグループ（例えば、８０、８１、８２、８３、８４）と１２８以上の新たな識別子（例えば、１８０〜１９０）を割り当てる。また、従来の割り当てた識別子８５〜９０番はまた多重搬送波システムをサポートしない既存の端末に使われることができる。
【００６２】
すると、本発明で提案された新たなプリアンブルグループを割り当てられた端末と基地局の動作を次の図面を利用して説明する。
図４は、本発明の好ましい実施形態に従って多重ユーザパケットのためのプリアンブルグループを割り当てられた端末のプリアンブル検出動作を示すフローチャートである。
【００６３】
図４を参照すると、端末はプリアンブル検出を始めると、ステップＳ４０１で、自身に割り当てられた識別子が１２８未満か否かを判断する。仮に、割り当てられた識別子が１２８未満である場合、ステップＳ４０３で、割り当てられた識別子に該当するプリアンブルの検出を試みる。ステップＳ４０５で、上記の端末が該当プリアンブルを検出した場合、自身に到着した単一ユーザパケットが存在すると判断し、ステップＳ４１３に進行してパケットの受信動作を遂行する。
【００６４】
ステップＳ４０１で、割り当てられた識別子が１２８以上であったり、または端末がステップＳ４０５で、該当プリアンブルが検出できなかったりした場合、端末はステップＳ４０７で、本発明で提案された多重ユーザパケット（ＭＵＰ）のためのプリアンブルグループを割り当てられたか否かを判断する。上記プリアンブルグループを割り当てられなかった場合、端末はステップＳ４０９に進行して従来の固定された多重ユーザパケットを転送するために使われるプリアンブル（プリアンブル６６〜７０）の検出を試みる。その後、ステップＳ４１１で、仮にプリアンブル検出に成功したならば、自身に到着した多重ユーザパケットが存在すると判断し、ステップＳ４１３に進行してパケットの受信動作を遂行する。一方、ステップＳ４１１で、プリアンブル検出に失敗したならば、ステップＳ４１９に進行してプリアンブル検出動作を終了する。
【００６５】
ステップＳ４０７で、本発明で提案する多重ユーザパケットのためのプリアンブルグループを割り当てられた場合、ステップＳ４１５で、端末は上記割り当てられたプリアンブルグループに属するプリアンブル、または従来の多重ユーザパケットを転送するために使われるプリアンブルに対する検出を試みる。ステップＳ４１７で、仮に端末がプリアンブル検出に成功したならば、自身に到着した多重ユーザパケット（ＭＵＰ）が存在すると判断し、ステップＳ４１３に進行してパケットの受信動作を遂行する。しかしながら、ステップＳ４１７で、端末がプリアンブル検出に失敗したならば、ステップＳ４１９に進行してプリアンブル検出動作を終了する。
【００６６】
図５は、本発明の好ましい実施形態に従い基地局により遂行されるデータ転送方法を示すフローチャートである。このような動作によると、端末は多重ユーザパケットのためのプリアンブルグループを割り当てられた端末とそれ以外の端末にデータをスケジューリングし、転送する。
【００６７】
図５を参照すると、ステップＳ５０１で、基地局は現在スロット‘ｔ’で特定データを転送あるいは再転送中であるかを判断する。仮に、現在転送中のパケットがあれば、ステップＳ５２３に進行して該当パケットを送信する。ステップＳ５０１で、現在転送中のパケットがなければ、ステップＳ５０３で、端末は自身のスケジューラのスケジューリングを介して新たにデータが転送される端末とそのデータ転送率などを決定する。その後、ステップＳ５０５で、該当端末の識別子が１２８未満であるか否かを判断する。仮に、該当端末の識別子が１２８未満の場合、ステップＳ５０９に進行して該当端末のデータを多重ユーザパケット（ＭＵＰ）を利用して転送するか否かを判断する。ステップＳ５０９で、単一ユーザパケットを利用することに決定した場合、ステップＳ５１１で、端末は該当端末のデータを含む単一ユーザパケットを構成し、該当端末の識別子に対応する単一ユーザパケットのプリアンブルを利用して、上記単一ユーザパケットを転送する。仮に、ステップＳ５０９で、多重ユーザパケットを使用することに決定した場合、ステップＳ５１３で、多重ユーザパケット（ＭＵＰ）を利用して、追加的に転送するデータをセクター内の全ての端末を対象にして追加的にスケジューリングする。その後、ステップＳ５１５で、該当データを含む多重ユーザパケット（ＭＵＰ）を構成した後、従来の多重ユーザパケットを転送するために使われるプリアンブルを利用して転送する。
【００６８】
ステップＳ５０５で、該当端末の識別子が１２８以上の場合、ステップＳ５０７で、基地局は該当端末に本発明で提案する多重ユーザパケット（ＭＵＰ）のためのプリアンブルグループを割り当てたか否かを判断する。仮に、上記プリアンブルグループを割り当てていないと、ステップＳ５１３に進行して多重ユーザパケットを利用して追加的に転送するデータをセクター内の全ての端末を対象にしてスケジューリングする。その後、ステップＳ５１５で、該当データを含む多重ユーザパケットを構成した後、従来の多重ユーザパケットを転送するために使われるプリアンブルを利用して転送する。
【００６９】
ステップＳ５０７で、仮に該当端末に上記プリアンブルグループを割り当てていると、ステップＳ５１７で、多重ユーザパケットを本発明で提案するプリアンブルグループのプリアンブルを利用して転送するか否かを決定する。仮に、ステップＳ５１７で、本発明で提案するプリアンブルグループのプリアンブルを利用することに決定した場合、基地局はステップＳ５１９で、多重ユーザパケット（ＭＵＰ）を利用して追加的に転送するデータを同一なプリアンブルグループを割り当てられた端末を対象にしてスケジューリングする。その後、ステップＳ５２１で、該当データを含む多重ユーザパケットを構成した後、上記プリアンブルグループに属するプリアンブルを利用して転送する。
【００７０】
仮に、ステップＳ５１７で、本発明で提案されたプリアンブルグループを利用しないことに決定した場合、ステップＳ５１３に進行して多重ユーザパケットを利用して追加的に転送するデータをセクター内の全ての端末を対象にしてスケジューリングする。その後、ステップＳ５１５で、該当データを含む多重ユーザパケットを構成した後、従来の多重ユーザパケットを転送するために使われるプリアンブルを利用して転送する。
【００７１】
図６は、本発明に従い基地局６１０と端末６２０を示す構成図である。
図６を参照すると、ＤＲＣ情報を受信する基地局６１０は、スケジューラ及び制御部（Scheduler & Controller）６１１、無線周波数部（RF unit）６１３、及びデータキュー（Data Queue）６１５を含む。上記ＤＲＣ情報を転送する端末６２０は、送受信部（Front end）６２１、復調部（Demod）６２３、復号化部（Decoder）６２５、制御部（Controller）６２７、符号化部（Encoder）６２９、及び変調部（Mod）６３１を含む。
【００７２】
基地局６１０のデータキュー６１５は、上位ノードから受信したデータを端末またはサービス別にキューに格納し、上記スケジューラ及び制御部６１１は、上記キュー別に格納されたデータを端末の転送するＤＲＣ情報（即ち、順方向チャネル状況）、サービス特性、公正性などを考慮して、特定ユーザまたは特定キューのデータを選択的に制御する。ここで、上記スケジューラは、本発明に従うスケジューリング動作を遂行し、上記制御部は、本発明に従い端末別に割り当てられたプリアンブルグルーピングを利用してデータを転送する動作を制御する。無線周波数部６１３は、上記選択されて制御されたデータ信号を端末６２０へ転送する。
【００７３】
端末６２０は、送受信部６２１を介して受信した信号を復調部６２３により復調し、復号化部６２５で上記復調された信号を復号して制御部６２７に提供する。ここで、基地局６１０からの信号を本発明に従うプリアンブルグループに設定する場合、端末６２０は、図５に示すような動作を遂行することになる。送信するデータが発生する場合は、端末６２０は、符号化部６２９で該当データを符号化した後、変調部６３１で変調して、送受信部６２１を介して上記基地局へ転送する。
【００７４】
端末６２０は、基地局６１０のスケジューリングを助けるために、基地局６１０から転送されたパイロットチャネルの強度を測定して該当基地局６１０からデータを受信可能なＤＲＣ、即ち、データ転送率を決定し、上記決定されたＤＲＣを送受信部６２１を介してまた基地局６１０へ転送する。
【００７５】
一方、本発明の詳細な説明の欄においては具体的な実施形態について詳述したが、本発明の範囲を逸脱することなく様々な変形が可能であることは勿論である。よって、本発明の範囲は上述の実施形態によって定まるものではなく、特許請求の範囲とその均等物によって定まる。
【図面の簡単な説明】
【００７６】
【図１】従来の１ｘＥＶＤＯシステムを概略的に示す図である。
【図２】１ｘＥＶＤＯシステムで使われる多重ユーザパケットの構造を示す図である。
【図３】本発明の実施形態によって多重ユーザパケットの構造を示す図である。
【図４】本発明の好ましい実施形態に従って端末でのプリアンブル検出動作を示すフローチャートである。
【図５】本発明の好ましい実施形態に従って基地局でのデータ転送方法を示すフローチャートである。
【図６】本発明に従って動作する基地局と端末の装置ブロック図である。
【符号の説明】
【００７７】
６１０  基地局
６１１  スケジューラ及び制御部
６１３  無線周波数部
６１５  データキュー
６２０  端末
６２１  送受信部
６２３  復調部
６２５  復号化部
６２７  制御部
６２９  符号化部
６３１  変調部
【図１】
2009512322.tif 000009
【図２】
2009512322.tif 000010
【図３】
2009512322.tif 000011
【図４】
2009512322.tif 000012
【図５】
2009512322.tif 000013
【図６】
2009512322.tif 000014
【国際調査報告】
2009512322.tif 000015
2009512322.tif 000016